(57)【要約】【課題】従来の技術では、例えば携帯型情報処理装置に液晶表示装置、プロセッサ、メモリ、操作部等を備え、該液晶表示装置に文字や画像を表示することによりユーザーに文字・画像情報を伝達している。前記従来の技術では、携帯型情報処理装置に搭載される液晶表示装置の表示面積が小さいため、ユーザが液晶表示装置から一度に得られる表示情報量が少ない、といった問題があった。本発明の目的は、小面積表示装置に表示する文字・画像情報量の増大に効果的な手段を提供することにある。【解決手段】一つのオリジナル表示データを分割表示データ１、分割表示データ２、分割表示データ３、・・・、と複数に分割し、前記分割した分割表示データを複数個重畳して表示することにより、一つの表示装置から多くの表示情報を得ることができる。【選択図】  図１
2004294944.tif 000002
【特許請求の範囲】
【請求項１】
表示装置の表示方法において、１つのオリジナル表示データを複数に分割するステップと、前記分割された分割表示データのうち少なくとも二つを重畳して重畳表示データを作成するステップと、前記重畳表示データを表示具で表示するステップとを有することを特徴とする表示方法。
【請求項２】
分割された少なくとも二つの分割表示データを重畳するステップは、それぞれの分割表示データの重なりを縦方向または横方向またはその両方向にずらして重畳するステップか、複数に分割した分割表示データの色調を表示データごとに変更するステップか、オリジナル表示データが文字情報である場合に複数に分割した分割表示データの字体を変更するステップか、オリジナル表示データが文字情報である場合に複数に分割した分割表示データの字体の大きさを変更するステップか、分割表示データの重なりの順番を変更するステップか、のいずれかのステップを有することを特徴とする請求項１記載の表示方法。
【発明の詳細な説明】
【０００１】
【発明の属する技術分野】
本発明は携帯型表示装置に係り、特に該携帯型表示装置に搭載する小面積表示具において、該表示具に表示する情報量の増大に効果的な手段を提供する。
【０００２】
【従来の技術】
従来の技術を以下説明する。
【０００３】
従来の技術では、例えば携帯型表示装置に液晶、プロセッサ、メモリ、操作部等を備え、該液晶に文字や画像を表示することによりユーザに文字・画像情報を伝達している。上記のような携帯型表示装置の縮小表示技術は、例えば、特許文献１に記載されている。
【０００４】
【特許文献１】
特開２００３−２３４９０号公報
【０００５】
【発明が解決しようとする課題】
本発明が解決しようとする課題について以下説明する。
前記従来の技術では、携帯型表示装置に搭載される表示具である液晶の表示面積が小さいため、ユーザが液晶から一度に得られる表示情報量が少ない、といった問題があった。
【０００６】
本発明の目的は、小面積表示具に表示する文字・画像情報量の増大に効果的な手段を提供することにある。
【０００７】
【課題を解決するための手段】
本願発明において開示される発明のうち、代表的なものの概要を説明すれば、以下の通りである。すなわち、一つのオリジナル表示データを分割表示データ１、分割表示データ２、分割表示データ３、・・・、と複数に分割し、前記分割した分割表示データを複数個同時に一つの表示具に重畳して表示することにより、一つの表示具から一度に多くの表示情報を得る、というものである。
【０００８】
以下、表示装置として携帯型情報処理装置、表示具として液晶、表示する情報として文字情報を例に実施例を記述するが、本発明はこれらに限定されない。
【０００９】
【発明の実施の形態】
以下、本発明の実施例を図面を用いて詳細に説明する。図１は本発明の一実施例を用いた携帯型情報処理装置の外観を示した斜視図、図２は本情報処理装置におけるブロック図、図３は本実施例における画像処理の流れを示したフローチャート、図４は本実施例における画像処理を示した概念図、図５は本実施例における分割・重畳処理前後の液晶画面表示例、図６および図７、図８、図９、図１０はそれぞれ本実施例における一応用例を示した概念図、である。
【００１０】
図１において、１０１は液晶、１０２は本情報処理装置に数値を入力する数字キー群、１０３は液晶１０１の表示を一つ前の画面に戻す前画面キー、１０４は液晶１０１の表示を次画面表示にさせる次画面キー、１０５は液晶１０１に重畳して表示された表示内容の上下を入れ替える上下キー、１０６は液晶１０１の表示を上下左右にスクロールさせるスクロールキー群、１０７は本情報処理装置の電源をＯＮ／ＯＦＦさせる電源スイッチ、１０８は本情報処理装置と他情報処理装置とを電気的に接続し情報の入出力を行う入出力コネクタ、１０９は本情報処理装置内に実装されているバッテリを充電するための充電コネクタ、１１０はこれら１０１から１０９、および本図には明示されていないが本情報処理装置内に内蔵されているプロセッサ、メモリ、各種コントローラ、バッテリ等の構成部品を保持し本携帯型情報処理装置を形成する筐体、を示す。
【００１１】
図２において、２０１は演算を行うプロセッサ、２０２はプログラムやデータを保持するメインメモリ、２０３は液晶１０１の表示を制御する表示チップ、
２０４は液晶１０１に表示するデータを保持する表示メモリ、２０５は各種キー１０２〜１０６からの入力を受け付けチップセット２０６に入力するキーコントローラ、２０６はこれらプロセッサ２０１やメインメモリ２０２、表示チップ２０３、入出力コネクタ１０８を介したデータの入出力を制御するチップセット、を示す。
【００１２】
以下、図１および図２を用いて、本実施例の携帯型情報処理装置の構成について説明する。
図１および図２に示されているように、筐体１１０には、液晶１０１、各種キー類１０２〜１０６、電源スイッチ１０７、入出力コネクタ１０８、充電コネクタ１０９、とを備える。本携帯型情報処理装置内部には図２に図示されているようにプロセッサ２０１、メインメモリ２０２、表示チップ２０３、表示メモリ２０４、キーコントローラ２０５、チップセット２０６、および各コンポーネントに電力を供給するバッテリが実装され、本携帯型情報処理装置が形成されている。
【００１３】
図２では、プロセッサ２０１がプログラムの実行および演算を行う。メインメモリ２０２はプログラムおよびデータが格納されている。表示チップ２０３は表示メモリ２０４に格納されている表示情報に基づき、画像を液晶１０１に表示させる。キーコントローラ２０５は各キー類１０２〜１０６からのキー押下信号を受け付け、チップセット２０６に出力する。チップセット２０６はこれらプロセッサ２０１やメインメモリ２０２、表示チップ２０３を制御し、また入出力コネクタ１０８を介して外部機器とデータの入出力を行うことができる。
【００１４】
以下、図３および図４、図５を用いて、本実施例の動作について説明する。
まず、対象となるオリジナル表示データが分割・重畳処理対象であるかどうかを判定（図３ステップ０）し、分割・重畳処理を行う必要のない表示データや、ユーザが分割・重畳処理をしないことを選択している場合は、分割・重畳処理を行う必要がないのでＡに分岐し、そのまま表示処理されて液晶１０１に表示する（図３ステップ３）の処理をおこなう。
【００１５】
次に対象となるオリジナル表示データが分割・重畳処理対象である場合、同処理を行うためＢに分岐（図３ステップ０）し、前記オリジナル表示データを２つの分割表示データ１、２に分割（図３ステップ１および図４ステップ１）し、前記分割表示データ１および２を重畳して重畳表示データ１を作成（図３ステップ２および図４ステップ２）し、上記重畳表示データ１を表示処理して液晶１０１に表示（図３ステップ３および図４ステップ３）させる、という動作になる。
【００１６】
図５に、本分割・重畳処理前後の液晶１０１の表示一例を示す。
【００１７】
以下に本実施例における効果を示す。図５を見ればわかるように、オリジナル表示データを分割・重畳処理して液晶１０１に表示させることにより、ユーザが液晶１０１から一度に得ることができる表示情報量を増大させることができる、という効果が得られる。
【００１８】
次に表示の実施例について、図６および図７、図８、図９、図１０を用いて以下に示す。本実施例においては、オリジナル表示データの分割数を２つとしたが、もちろん３つ以上に分割してもよい  また、本実施例においては、分割表示データの重畳数を２つとしたが、もちろん３つ以上を重畳してもよい。
【００１９】
また、本実施例においては、分割表示データ１、２を同位置に重畳したが、図６に示すようにそれぞれの分割表示データの重なりを縦方向または横方向またはその両方向にずらして重畳してもよい。通常テキスト文には行間に隙間があるので、分割表示データ１のテキスト文の行間に分割表示データ２のテキスト文を重畳することでよりユーザが視認出来やすくなる効果が期待できる。また図７に示すように、表示データの分割を１行つづ行い、それらを重畳することでテキスト文の順序を変えないようにしつつ表示情報量を増大させることも可能である。
【００２０】
また、本実施例においては、オリジナル表示データを分割した分割表示データ１と２の地とテキストの色調はオリジナル表示データのままとしたが、これら色調を変更してよりユーザが見やすいようにしてもよい。例えば、図８に示すようにオリジナル表示データの色調が地が「白」、テキストが「黒」であった場合、分割表示データ１の色調はそのまま地が「白」、テキストが「黒」のままとし、分割表示データ２の色調は地が「白」、テキストを「黒」から「赤」に色調変更させることで、重なり合うテキスト同士の色調が違うものとなりユーザが視認しやすくなる。
【００２１】
また、本実施例においては、オリジナル表示データを分割した分割表示データ１と２のテキストフォントはオリジナル表示データのままとしたが、これらテキストフォントを変更してよりユーザが見やすいようにしてもよい。例えば、図９に示すようにオリジナル表示データのテキストフォントが「明朝」であった場合、分割表示データ１のテキストフォントはそのまま「明朝」のままとし、分割表示データ２のテキストフォントは「明朝」から「ゴシック」に変更させることで、重なり合うテキスト同士のフォントが違うものとなりユーザが視認しやすくなる。もちろん、他にフォントは同じままでボールド（太字）に変更するなどの応用も可能である
また、本実施例においては、オリジナル表示データを分割した分割表示データ１と２のテキストの字体の大きさはオリジナル表示データのままとしたが、これら字体の大きさを変更してよりユーザが見やすいようにしてもよい。例えば、図１０に示すようにオリジナル表示データの字体の大きさが「１０ポイント」であった場合、分割表示データ１の字体の大きさはそのまま「１０ポイント」のままとし、分割表示データ２の字体の大きさは「１０ポイント」から「８ポイント」に変更させることで、重なり合うテキスト同士の字体の大きさが違うものとなりユーザが視認しやすくなる。
【００２２】
また、本実施例においては、分割表示データの重なりを分割表示データ１を上側、分割表示データ２を下側としたが、ユーザの選択（上下キー１０５の押下）等により前記分割データ１、２の重なりを逆にできるようにしてもよい。もちろん分割表示データを３つ以上重畳する際にも、どのような順番で重畳するのか選択できるようにしてもよい。
【００２３】
【発明の効果】
本願において開示される発明のうち、代表的なものによって得られる効果を簡単に説明すれば、以下の通りである。すなわち、一つのオリジナル表示データを分割表示データ１、分割表示データ２、分割表示データ３、・・・、と複数に分割し、前記分割した分割表示データを複数個同時に一つの表示具に重畳して表示することにより、一つの表示具から多くの表示情報を得ることができる、という効果が得られる。
【図面の簡単な説明】
【図１】本発明の一実施例である携帯型情報処理装置の概略を示す斜視図である。
【図２】本発明の一実施例である携帯型情報処理装置の内部回路構成概略を示すブロック図である。
【図３】本発明の一実施例である携帯型情報処理装置の画像処理内容を示すフローチャートである。
【図４】本発明の一実施例である携帯型情報処理装置の画像処理を示した概念図である。
【図５】本発明の一実施例である携帯型情報処理装置の分割・重畳処理前後の液晶画面表示の一例である。
【図６】本発明の一実施例である携帯型情報処理装置の画像処理の一応用例を示した概念図である。
【図７】本発明の一実施例である携帯型情報処理装置の画像処理の一応用例を示した概念図である。
【図８】本発明の一実施例である携帯型情報処理装置の画像処理の一応用例を示した概念図である。
【図９】本発明の一実施例である携帯型情報処理装置の画像処理の一応用例を示した概念図である。
【図１０】本発明の一実施例である携帯型情報処理装置の画像処理の一応用例を示した概念図である。
【符号の説明】
１０１…液晶、１０２…数字キー群、１０３…前画面キー、１０４…次画面キー、１０５…上下キー、１０６…スクロールキー群、１０７…電源スイッチ、１０８…入出力コネクタ、１０９…充電コネクタ、１１０…筐体、２０１…プロセッサ、２０２…メインメモリ、２０３…表示チップ、２０４…表示メモリ、２０５…キーコントローラ、２０６…チップセット、
【図１】
2004294944.tif 000003
【図２】
2004294944.tif 000004
【図３】
2004294944.tif 000005
【図４】
2004294944.tif 000006
【図５】
2004294944.tif 000007
【図６】
2004294944.tif 000008
【図７】
2004294944.tif 000009
【図８】
2004294944.tif 000010
【図９】
2004294944.tif 000011
【図１０】
2004294944.tif 000012